(57)【要約】【課題】  加熱室内の容積を制限しないで、かつ、風向き制御機構の劣化を防ぐ加熱調理器を提供する。【解決手段】  加熱調理器は、外箱１内に設けられ調理物を収容する加熱室５の後壁５ｃに吹出口６８と挿入口６９が形成され、機械室１５には、熱風を生成し吹出口６８から加熱室５内に供給する熱風循環機構６０と、吹出口６８からの熱風を制限する風向板７１を有し、熱風循環機構とケーシング６５により区画された位置に配置される風向き制御機構７０とが設けられ、この風向き制御機構７０は、風向板７１を挿入口６９から加熱室５内外に挿出入することを特徴とする。【選択図】  図１
2007278554.tif 000002
【特許請求の範囲】
【請求項１】
外箱と、
この外箱内に設けられ調理物を収容する加熱室と、
前記加熱室の内壁に形成される吹出口と、
前記加熱室外に設けられ、熱風ヒータ及び熱風ファンを有し、空気を前記熱風ヒータに
より加熱し、前記熱風ファンの回転駆動により加熱された空気を前記吹出口から加熱室内
に供給する熱風循環機構と、
前記加熱室の内壁に形成される挿入口と、
前記吹出口から吹き出される熱風を制限するための風向板を有し、前記熱風循環機構と
区画された位置に配置される風向き制御機構とを具備し、
この風向き制御機構は、前記風向板を前記挿入口から前記加熱室内外に挿出入すること
を特徴とする加熱調理器。
【請求項２】
風向き制御機構は、
回転動力部により回転移動する回転体と、
この回転体に角度調節部を介して連結される風向板とにより構成され、
前記回転動力部を駆動して前記回転体を回転移動することにより、前記角度調節部およ
び前記風向板を挿入口から加熱室内に挿入し、
前記角度調節部を駆動して、前記風向板を吹出口方向に回転移動することにより、前記
吹出口から吹き出される熱風を制限することを特徴とする請求項１記載の加熱調理器。
【請求項３】
二つの風向き制御機構と、
加熱室内壁の熱風循環機構の上部に対応する位置に形成される第１の吹出口と、
加熱室内壁の熱風循環機構の下部に対応する位置に形成される第２の吹出口とを有し、
前記風向き制御機構は、前記第１の吹出口と前記第２の吹出口の対角する領域をそれぞ
れ風向板で制限する位置に設けられることを特徴とする請求項１または請求項２記載の加
熱調理器。
【発明の詳細な説明】
【技術分野】
【０００１】
本発明は、熱風循環機構を備えた加熱調理器に関する。
【背景技術】
【０００２】
近年、加熱調理器においては熱風循環機構を搭載し、調理物を急速に加熱するものが提
供されている。
【０００３】
例えば、上記のものでは熱風を生成し加熱室内に循環させる熱風循環機構を加熱室の後
空間に設け、その熱風循環機構から加熱室に供給される熱風の方向を変更する風向き制御
機構を加熱室内に有するものがある（例えば、特許文献１参照）。
【０００４】
また熱風循環機構が設置されている加熱室の後空間に風向き制御機構を設け、加熱室に
供給される前に熱風の方向を変更させて加熱室内に供給させる加熱調理器が提案されてい
る（例えば、特許文献２参照）。
【特許文献１】特開平６−３４７０４１号公報
【特許文献２】特開２００４−３５３９２２号公報
【発明の開示】
【発明が解決しようとする課題】
【０００５】
しかしながら、特許文献１のような加熱調理器においては、風向き制御機構が加熱室内
に設けられており、風向き制御機構を必要としない時は、加熱室内の容積が小さくなり、
調理物の収納を制限するという問題があった。さらに電子レンジを併用する加熱調理器の
場合には、風向き制御機構が加熱室内にあることにより風向き制御機構の端部などでスパ
ークするという問題も内在していた。
【０００６】
また特許文献２の加熱調理器においては、熱風循環機構が設置されている加熱室の後空
間内に風向き制御機構を設置し、その後空間から加熱室内に供給される熱風の方向を制限
している為、風向き制御機構全体が熱風にさらされ、風向き制御機構が劣化しやすいとい
う問題があった。
【０００７】
本発明は上記問題点を解決するためになされたもので、加熱室内の容積を制限しないで
、かつ、風向き制御機構の劣化を防ぐ加熱調理器を提供することを目的とする。
【課題を解決するための手段】
【０００８】
上記目的を達成するために、本発明に係わる加熱調理器は、外箱と、この外箱内に設け
られ調理物を収容する加熱室と、前記加熱室の内壁に形成される吹出口と、前記加熱室外
に設けられ、熱風ヒータ及び熱風ファンを有し、空気を前記熱風ヒータにより加熱し、前
記熱風ファンの回転駆動により加熱された空気を前記吹出口から加熱室内に供給する熱風
循環機構と、前記加熱室の内壁に形成される挿入口と、前記吹出口から吹き出される熱風
を制限するための風向板を有し、前記熱風循環機構と区画された位置に配置される風向き
制御機構とを具備し、この風向き制御機構は、前記風向板を前記挿入口から前記加熱室内
外に挿出入することを主たる特徴とする。
【発明の効果】
【０００９】
本発明によれば、風向き制御機構を熱風循環機構と区画して設け、風向板を挿入口から
挿出入することができるため、風向き制御機構の不使用時には風向板を加熱室外に収納で
き加熱室の容積を制限することがなく、さらに熱風にさらされる箇所が風向板のみである
ため、風向き制御機構の劣化を防ぐことができる。
【発明を実施するための最良の形態】
【００１０】
以下、図面を用いて本発明の実施例を説明する。  
本発明の加熱調理器を電子レンジに適用した一実施例を示す図１乃至図７を参照して説
明する。  
そのうち、構成の概要を説明するための図について示す。図１は、風向き制御機構の制
御動作（ａ），（ｂ）を示す図。図２は、電子レンジの正面図である。図３は、電子レン
ジの縦断側面図である。図４は、加熱室の風向き制御機構収納時の正面図、図５は、加熱
室の風向き制御機構使用時の正面図である。図６は、電子レンジの電気的構成図。図７は
「オーブン加熱調理メニュー」の動作フローチャートである。  
図２、３に示すように電子レンジの本体１は、外郭が矩形状の外箱２で形成されていて
、底部下面に脚部３が設けられている。  
外箱２の内部には前面が開口した内箱４が設けられており、この内箱４の内部を加熱室
５としている。またこの加熱室５の前面開口部５ｄは本体１の前面のほぼ全幅にわたる大
きさの矩形状をなしている。  
そして、本体１の前面には加熱室５の前面開口部５ｄを開閉可能な扉６が設けられてい
る。この扉６は図示しないヒンジ部を介して本体１の前下部に上下方向に可動可能に枢支
されている。  
また扉６の前面部には図２に示すように、上部に手掛け部７が設けられていると共に、
下部に複数の操作部９及び表示部１０が設けられている。この操作部９は加熱調理の調理
メニューや調理時間を選択設定するもので、表示部１０は選択された調理メニューや調理
時間などを表示するためのものである。  
またこの扉６には、扉６をロックする扉ロックスイッチ１１（図６参照）が設けられて
おり、この扉ロックスイッチ１１は加熱室５内が高温時は扉６を開放できないように扉６
をロックするロック機能を有している。
【００１１】
そして外箱２と内箱４の間には図３に示すように空間が設けられており、内箱４の下方
には下側空間１４が設けられている。  
また図３に示すように加熱室５の後方には機械室１５が形成されていて、この機械室１
５には下部にマグネトロン１６と、このマグネトロン１６の駆動装置１７が設けられてい
る。  
このマグネトロン１６はマイクロ波を発生するもので、その発生したマイクロ波は、下
側空間１４に設けられ加熱室５の下面の中央に延びる導波管１８を通して開口部（図示せ
ず）から加熱室５内に供給可能としている。  
また機械室１５の中央部から上部にかけては、左右方向の中央部に後述する熱風循環機
構６０が設けられており、この熱風循環機構６０はケーシング６５により熱風循環機構６
０外と隔離された熱風を生成する空間を有している。  
さらに機械室１５の上部には加熱室５内の複数の箇所の温度を赤外線で測定する温度セ
ンサ１９が設けられている。
【００１２】
一方、加熱室５内には図４、図５に示すように両側壁（左側壁５ａ、右側壁５ｂ）に突
起状の段部３０が形成されており、上方に上段部３０ａ、下方に下段部３０ｂが形成され
ている。  
またその段部３０上に加熱調理用の角皿３１が載置できるように構成されていて、上段
角皿３１ａと下段角皿３１ｂが其々配置可能となっている。  
これら角皿３１はいずれも段部３０上をスライド移動することが可能で、角皿３１を前
面開口部５ｄ方向にスライド移動させることによりに加熱室５から取出し可能である。
【００１３】
ここで、加熱室５の後壁５ｃ側に配設した熱風循環機構６０について説明する。  
図３に示すようにこの熱風循環機構６０は、熱風ファン６１と、熱風ヒータ６２、断熱
材で形成されたケーシング６５、及びファンモータ６６で構成されており、そのうち、熱
風ファン６１は遠心ファンが用いられている。  
この熱風ファン６１はケーシング６５に覆われており、このケーシング６５の後側の機
械室１５にはファンモータ６６が取付けている。  
このファンモータ６６の回転軸がケーシング６５内に挿入されており、これに熱風ファ
ン６１の中心ボス部が取付けられ、この熱風ファン６１を回転駆動するように構成されて
いる。  
そして、熱風ヒータ６２は、２本のシーズヒータで構成され熱風ファン６１の周囲部を
囲うように配設されている。  
この２本のヒータからなる熱風ヒータ６２は、第１の熱風ヒータ６３と第２の熱風ヒー
タ６４で構成されており、これら第１の熱風ヒータ６３と第２の熱風ヒータ６４は其々独
立して電源１０１に接続され、異なる定格出力で構成されている。  
これらに対して、図３、図４、図５に示すように加熱室５の後壁５ｃには、熱風ファン
６１の中央部と対応する位置に循環空気の吸入口６７が多数のパンチング孔により形成さ
れ、熱風ファン６１の外周部より外側の位置であってケーシング６５の内側に循環空気の
吹出口６８を同じく多数のパンチング孔により形成している。  
またこの吹出口６８は、後壁５ｃの上段部３０ａより上方に矩形状に形成される第１の
吹出口６８ａと、下段部３０ｂより下方に矩形状に形成される第２の吹出口６８ｂとで構
成されており、それぞれの吹出口６８の複数箇所にパンチング孔が配列されているもので
横方向が長手となる矩形状の領域を形成している。  
なお、前述の上段角皿３１ａと下段角皿３１ｂについては、循環空気の吸入口６７と吹
出口６８とを遮断するように、吸入口６７を上下より挟むように配置することが可能にな
っている。
【００１４】
またさらに図３に示すように、機械室１５内には、吹出口６８のパンチング孔を塞ぐこ
とで熱風の吹出し方向を制御する風向き制御機構７０が４つ設けられており、熱風循環機
構６０の上側に第１の吹出口６８ａに対応する位置に左上風向き制御機構７０ａと右上風
向き制御機構７０ｂとが左右に並んで設けられている。一方、熱風循環機構６０の下側に
は第２の吹出口６８ｂに対応する位置に左下風向き制御機構７０ｃと右下風向き制御機構
７０ｄとが左右に並んで設けられている。  
これら風向き制御機構７０は、使用時には加熱室５内で吹出口６８からの吹き出される
熱風の方向を制御し、または熱風を遮断して熱風を制限する機能を有し、不使用時には機
械室１５に収納される構成をしている。  
そして、後壁５ｃにはこれら熱風循環機構６０に対応する位置に、風向きを制限する風
向板７１が挿入される開口である挿入口６９がそれぞれ形成されている（図４参照）。
【００１５】
以下、熱風循環機構６０とその動作について、右上風向き制御機構７０ｂを代表例とし
て、図１を参照して説明する。  
図１（ａ）は、風向き制御機構が機械室に収納された状態から、風向板が加熱室に挿入
される動作を示した図である。図１（ｂ）は、加熱室に挿入された風向板が吹出口を塞ぐ
動作を示した図である。  
この風向き制御機構７０は、風向板７１、角度調節部７２、回転体７３及び回転動力部
７４で構成されている。  
回転動力部７４が、熱風が生成される領域と区画された位置である熱風循環機構６０の
ケーシング６５の上面に固定されていて、この回転動力部７４に板状の回転体７３が接続
され、回転動力部７４が有するモータにより回動可能に構成されている。そしてこの回転
体７３にモータを有する角度調節部７２が接続されており、さらにこの角度調節部７２に
風向板７１が接続され、角度調節部７２のモータにより回動可能に構成されている。  
この風向板７１は、上述した吹出口６８のパンチング孔を塞ぐためのもので、耐熱性の
材料で形成された板形状をしている。  
また熱風循環機構６０の周囲には、第１の位置規制部７７が回転体７３の半時計方向へ
の回動を規制する位置に設けられており、回転動力部７４を半時計方向に駆動した場合に
、回転体７３を停止させる位置決めの機能を有している。また第２の位置規制部７８が挿
入口６９の近傍に設置されており、回転体７３の時計方向への回動を規制する位置に設け
られており、回転動力部７４を時計方向に駆動した場合に、回転体７３を停止させる位置
決めの機能を有している。  
そして後壁５ｃに形成された挿入口６９は、回転体７３の回動軌跡に対応した大きさに
開口されているものであって、その挿入口６９の形状と回転体７３の長さの関係は、第２
の位置規制部７８に移動する際に回転体７３の前端が後壁５ｃに接触せず、かつ回転体７
３が第２の位置規制部７８に位置している状態では、回転体７３の前端が挿入口６９を介
して加熱室５に挿入されて位置し、角度調節部７２が加熱室５内に位置するような関係を
している。  
なお、後壁５ｃの挿入口６９には、加熱室５側に段差部５ｃ１が設置されているが、こ
れは回転体７３が回転動作できる機械室１５の空間を広げるために設けられたものであり
、この段差部５ｃ１があることにより、挿入口６９の開口面積を小さくしている。
【００１６】
つづいて、電子レンジの電気的構成について説明する。  
図６は、電子レンジの概略的な電気的構成を示すブロック図である。  
電子レンジが備える制御装置１００には、前述の操作部９、加熱室５内の角皿の温度を
検出する赤外線の温度センサ１９、及び電子レンジに電源を供給する電源１０１が接続さ
れている。  
操作部９では、調理メニュー等を設定した信号を制御装置１００に入力し、温度センサ
１９は温度検出信号を入力する。  
そして制御装置１００には、表示部１０、マグネトロン１６の駆動装置１７が接続され
ていると共に、熱風循環機構６０のファンモータ６６、及び熱風ヒータ６２である第１の
熱風ヒータ６３、第２の熱風ヒータ６４に接続されている。  
また扉６の開閉をロックする扉ロックスイッチ１１と、風向き制御機構７０の角度調節
部７２、回転動力部７４が接続されている。
【００１７】
次に、上記構成の電子レンジの作用について述べる。  
扉６を開け図示しない調理物を加熱室５内に収容載置し、使用者は加熱条件を決めて操
作部９から「レンジ調理メニュー」や「オーブン調理メニュー」等の調理方法や加熱時間
、加熱温度などを入力操作する。  
そして、操作部９のうちのスタートスイッチを操作して加熱開始を指示すると、制御装
置１００は設定された調理メニューや加熱条件に基づき予め設定された制御プログラムに
従ってマグネトロン１６や熱風循環機構６０を駆動させて加熱調理を実行する。  
まず加熱室５内の調理物をマイクロ波により加熱調理を実行する調理メニュー（以下、
「レンジ調理メニュー」と称する）が選択された場合の動作について説明する。  
これは、例えば牛乳のあたためや、冷凍食品の解凍等の加熱調理に利用される。  
加熱室５の底に直接調理物を載置収容し、「レンジ調理メニュー」の開始が指示される
と、マグネトロン１６が駆動し、マイクロ波が導波管１８を通り、加熱室５下方から回転
アンテナ（図示せず）によりマイクロ波が加熱室５内にむらなく照射されて加熱調理が行
なわれる。
【００１８】
次に、加熱室５内に熱風を循環供給しながら加熱調理を実行する調理メニュー（以下、
「オーブン調理メニュー」と称する）が設定された場合の動作について図７に示すフロー
チャートに基づいて説明する。これは、例えば肉類のロースト等の加熱調理に使用される
。  
まず上段角皿３１ａを上段部３０ａにセットし、上段角皿３１ａの中央に調理物を載置
する。  
「オーブン調理メニュー」の開始が指示されると、ファンモータ６６と熱風ヒータ６２
が通電される。  
これによって、ファンモータ６６は熱風ファン６１を半時計方向に回転駆動し、熱風フ
ァン６１は図３の矢印Ｍに示すように加熱室５内の空気を加熱室後壁５ｃの吸入口６７か
ら吸入する。  
そして、熱風ファン６１により円周方向に送風され熱風ヒータ６２によって加熱される
。  
その加熱された空気が加熱室後壁５ｃの吹出口６８から吹出されることにより（矢印Ｎ
）加熱室５内の空気が循環され、加熱室５内の温度が高まる。  
この熱風循環機構６０の動作により調理物は強制対流加熱される。またこの際、加熱室
５内は熱風ヒータ６２の熱輻射による加熱も行われる。  
そして、この「オーブン調理メニュー」が選択された場合は、図４に示すように、熱風
ファン６１は半時計方向に回転するため、第１の吹出口６８ａからは左下方向に向かって
熱風が流れ、第２の吹出口６８ｂからは右上方向に向かって熱風が流れ、第１の吹出口６
８ａの右領域と、第２の吹出口６８ｂの左領域の対角の領域からはその対角線上の中央に
むかって流れる特性がある。  
すなわち上段皿３１ａの中央に調理物を置いて加熱した場合、主に第１の吹出口６８ａ
の右領域のパンチング孔から吹き出される熱風（矢印Ｏ）と、第２の吹出口６８ｂの左領
域のパンチング孔から吹き出される熱風（矢印Ｐ）とにより調理物は上から直接熱風が当
たって加熱され、また上段角皿３１ａの下面に直接熱風があたることにより、この上段角
皿３１ａを介して熱伝達して調理物は急速に加熱されることになる。  
また第１の吹出口６８ａの左領域のパンチング孔から吹き出される熱風（矢印Ｑ）は、
加熱室５の左側壁５ａ等にぶつかって、跳ね返る熱風がいろんな方向に拡散する。また第
２の吹出口６８ｂの右領域のパンチング孔から吹き出される熱風（矢印Ｒ）も、同様に加
熱室５の右側壁５ｂ等にぶつかって、跳ね返る熱風がいろんな方向に拡散する。
【００１９】
また、「オーブン調理メニュー」の実行中に加熱室５上方に位置する温度センサ１９に
よって検出された上段皿３１ａの温度差が４０度Ｃ以上になった場合（ステップＳ１のＮ
Ｏ）は、風向き制御機構７０を駆動させる。  
この時、図１（ａ）に示すように右上風向き制御機構７０ｂと左下風向き制御機構７０
ｃが駆動され、上述したように、風向板７１が機械室１５に収納された状態から、まず回
転動力部７４が駆動することにより回転体７３が矢印方向に回動して、第２の位置規制部
７８まで移動する。この第２の位置規制部７８で回転体７３が規制されたときには、挿入
口６９から加熱室５内に挿入されて角度調節部７２および風向板７１は加熱室５内に位置
している（図１（ａ）破線の状態）。  
そして図１（ｂ）に示すように、図１（ｂ）の破線の状態から角度調節部７２が駆動し
、それに基づいて風向板７１が吹出口６８の方向（図１（ｂ）矢印方向）へ回動して後壁
５ｃに当接し、もって吹出口６８のパンチング孔を塞ぐ。  
したがって、この状態では図５に示すように右上風向き制御機構７０ｂと左下風向き制
御機構７０ｃの風向板７１により、第１の吹出口６８ａの右領域のパンチング孔と、第２
の吹出口６８ｂの左領域のパンチング孔とを塞ぐことによって、その第１の吹出口６８ａ
の右領域のパンチング孔と、第２の吹出口６９ｂの左領域のパンチング孔から吹き出され
る熱風を遮断する。  
そして図５に示すように上段角皿３１ａの中央に載置される調理物に上下から直接ぶつ
かる熱風を遮断することで、第１の吹出口６８ａの左領域のパンチング孔から吹き出され
る熱風（矢印Ｑ）と、第２の吹出口６８ｂの右領域のパンチング孔から吹き出される熱風
（矢印Ｒ）のみが加熱室５内に存在しており、これら熱風は加熱室５の側壁等にぶつかっ
て跳ね返りあらゆる方向に拡散することで、加熱室５内に熱風が満遍なくいきわたる。そ
して、上段角皿３１ａの中央に載置される調理物も満遍なく熱風が当り加熱むらなく加熱
される。
【００２０】
つづいて、この状態から再び温度センサ１９によって上段皿３１ａの温度が検出されて
、その温度差が１０度Ｃ以下になった（ステップＳ２のＹＥＳ）時には、再び右上風向き
制御機構７０ｂと左下風向き制御機構７０ｃを駆動し、角度調節部７２を駆動し、風向板
７１を後壁５ｃから離れる方向に回転させ、次に、回転動力部７４で回転体７３を第２の
位置規制部７８から第１の位置規制部７７へ移動させる。このとき、風向板７１は角度調
節部７２と共に挿入口６９から機械室１５内に挿入移動されて、もって、風向板７１は機
械室１５に収納される。  
そして、図４に示すように風向板７１が離れたことにより第１の吹出口６８ａの右領域
のパンチング孔と、第２の吹出口６８ｂの左領域のパンチング孔とから、再び熱風が加熱
室５の中心部に向けて吹き出される。上段角皿３１ａの中央に載置される調理物には、右
上方から第１の吹出口６８ａの右領域からの熱風が当り、上段角皿３１ａの下方に熱風が
直接当り上段角皿３１ａを介して調理物が下方から加熱されて、再び急速加熱状態となる
。
【００２１】
以上のような本発明の実施形態によれば、次のような効果を得ることができる。  
本発明によれば、風向き制御機構７０を、熱風循環機構６０の熱風が生成される領域と
ケーシング６５で区画して設けており、また風向き制御機構７０を駆動させて、風向板７
１が機械室１５に収納された状態から、挿入口６９から加熱室５内に挿入されることによ
り、吹出口６８から吹き出される熱風の方向を制御することができるため、風向き制御機
構７０の使用時には風向板７１を加熱室５内に挿入でき、熱風の方向制御を行い、不使用
時には風向板７１を加熱室５外に収納することができ、風向き制御機構７０の不使用時に
は加熱室５の容積を広く使うことができる。  
また電子レンジを使用する場合には、風向板７１を加熱室５外に収納することで、風向
板７１がスパークするといった危険性もなくなる。  
さらに、風向き制御機構７０を熱風循環機構６０の熱風が生成される領域とケーシング
６５により区画して設けているため、熱風にさらされるのは風向板７１のみであり、他の
要素部品である回転動力部７４、回転体７３等は熱風にさらされることはなく、もって、
風向き制御機構７０の劣化を防ぐことができる。なお、この場合、回転体７３は、耐熱部
材を使用する必要もなくコストを下げることもできる。
【００２２】
また風向き制御機構７０は、回転動力部７４により回転移動する回転体７３と、回転体
７３に角度調節部７２を介して連結される風向板７１とにより構成し、回転動力部７４を
駆動して回転体７３を回転移動することにより、角度調節部７２および風向板７１を挿入
口６９から加熱室５内に挿入し、角度調節部７２を駆動して、風向板７１を吹出口６８方
向に回転移動することにより、吹出口６８から吹き出される熱風を制限するようにしたた
め、角度調節部７２が加熱室５内に位置したときに風向板７１を回転させることができ、
吹出口６８から吹き出される熱風を任意の方向へ制御することができる。また吹出口６８
を遮ることにより、その箇所から熱風が加熱室５内に供給されることを遮断することがで
きる。またこのような構成としたため、風向き制御機構７０全体の動作範囲を小さくする
ことができる。  
また熱風循環機構６０に対応する内壁の上下に第１の吹出口６８ａと第２の吹出口６８
ｂとを形成し、右上風向き制御機構７０ｂと左下風向き制御機構７０ｃを設け、対角する
領域である第１の吹出口６８ａの右領域と、第２の吹出口左領域６８ｂとを右上風向き制
御機構７０ｂと左下風向き制御機構７０ｃそれぞれの風向板７１で遮断する構成としたた
め、調理物が第１の吹出口６８ａと第２の吹出口６８ｂから熱風が吹き出されることで急
速加熱がされている場合に、その対角する領域である第１の吹出口６８ａの右領域と、第
２の吹出口６８ｂの左領域を遮断することで、熱風が加熱室５内を満遍なく循環する為、
調理物の加熱むらを減少させることができる。
【００２３】
なお、本発明は、熱風を遮断するためだけを目的とするものでなく、当然に加熱室５内
で風向板７１を回転させ、熱風の方向を変更させる為に使用される目的のものでもある。
【００２４】
なお風向板７１は、板状のものとしたが種々変更可能であり、例えば、短冊状に複数の
風制御口が連通して形成されているものであってもよい。この場合この風制御口は、上述
した吹出口６８のパンチング孔より大きな形状とすることにより、吹出口６８を塞いだと
しても、風制御口に臨むパンチング孔からは熱風が加熱室５に吹き出し、完全に熱風を遮
断することはせず、さらに加熱室５内に満遍なく熱風を行き渡らせることができる。  
その他、本発明は上記実施例に限定されるものではなく、実施に際して本発明の要旨を
逸脱しない範囲で種々変更して実施できるものである。
【図面の簡単な説明】
【００２５】
【図１】風向き制御機構の制御動作（ａ），（ｂ）を示す図
【図２】電子レンジの正面図
【図３】電子レンジの縦断側面図
【図４】加熱室の風向き制御機構収納時の正面図
【図５】加熱室の風向き制御機構使用時の正面図
【図６】電子レンジの電気的構成図
【図７】「オーブン加熱調理メニュー」の動作フローチャート
【符号の説明】
【００２６】
１は本体、２は外箱、３は脚部、４は内箱、５は加熱室、５ａは左側壁、５ｂは右側壁、
５ｃは後壁、５ｃ１は段差部、５ｄは前面開口部、６は扉、７は手掛け部、８は操作パネ
ル、９は操作部、１０は表示部、１１は扉ロックスイッチ、１４は下側隙間空間、１５は
機械室、１６はマグネトロン、１７は駆動装置、１８は導波管、１９は温度センサ、３０
は段部、３０ａは上段部、３０ｂは下段部、３１は角皿、３１ａは上段角皿、３１ｂは下
段角皿、６０は熱風循環機構、６１は熱風ファン、６２は熱風ヒータ、６３は第１の熱風
ヒータ、６４は第２の熱風ヒータ、６５はケーシング、６６はファンモータ、６７は吸入
口、６８は吹出口、６９は挿入口、７０は風向き制御機構、７０ａは左上風向き制御機構
、７０ｂは右上風向き制御機構、７０ｃは左下風向き制御機構、７０ｄは右下風向き制御
機構、７１は風向板７１、７２は角度調節部７２、７３は回転体、７４は回転動力部、７
７は第１の位置規制部、７８は第２の位置規制部を示す。
【図１】
2007278554.tif 000003
【図２】
2007278554.tif 000004
【図３】
2007278554.tif 000005
【図４】
2007278554.tif 000006
【図５】
2007278554.tif 000007
【図６】
2007278554.tif 000008
【図７】
2007278554.tif 000009